(57)【特許請求の範囲】
【請求項１】
キャスター取付用ベースに、４個の自在キャスターが仮想円上にあって、各々円周方向に等間隔に配置するように取り付けられ、且つ前記仮想円の中心部にのみ１個の中心部自在キャスターが取り付けられ、このうち、仮想円上にある４個の自在キャスターは、その取付軸が前記仮想円上に取り付けられると共に、先端部に車輪を軸着した車輪支持枠は、上記取付軸の周りに旋回自在に取り付けられ、取付軸は車輪に対し偏心した構成からなり、仮想円の中心部にのみ取り付けられる１個の中心自在キャスターは、ボールによって接地面に対し点接触状態で接地するボール支持体によって形成されてなることを特徴とするデッキプレート走行台車。
【発明の詳細な説明】
【０００１】
【発明の属する技術分野】
本発明は、建築作業現場において、床などに使用されているデッキプレート上での走行に好適なデッキプレート走行台車に関するもので、走行作業用足場などに装備して使用される。
【０００２】
【従来の技術】
この種のデッキプレート走行台車としては、キャスター取付用ベースの下面側に１個の自在キャスターを取り付けたものが従来より広く一般に知られている。このような一輪式のデッキプレート走行台車は、凹部の無い平坦な作業面では好適であるが、凹条部と凸条部とが交互に連なるデッキプレートの上を走行させようとすれば、キャスターがデッキプレートの凹条部に落ち込んでしまい、スムーズに走行させることができない。
【０００３】
デッキプレートのように凹凸のある作業面上を走行させるのに適した走行台車として、特開平８−１３２８１５号公報に記載されたものがある。この走行台車は、キャスター取付用ベースに、６個以上の自在キャスターを、デッキプレートにおける２つの凹条部を跨ぐに充分な所定の架台面積内に画かれる楕円軌跡上に、相異なる間隔で隣り合い且つ対称位置で相対峙するものどうしの結線が楕円中心点を避けるものとなるようにほぼ均等に配設した構成となっている。
【０００４】
【発明が解決しようとする課題】
上記公報に記載の走行台車によれば、自在キャスターの個数が６個以上と可成り多く、しかもキャスターの配置関係が不規則で複雑となっているため、制作費が高くつくと云う問題がある。本発明は、比較的少ない個数のキャスターを簡単で規則的な配置関係によってキャスター取付用ベースに取り付けることにより、製作が容易でコストが安くなると共に、凹凸のあるデッキプレート上を円滑に走行させることができるデッキプレート走行台車を提供することを目的とする。
【０００５】
【課題を解決するための手段】
請求項１に係る発明のデッキプレート走行台車は、キャスター取付用ベース３に、４個の自在キャスター４…が仮想円６上にあって、各々円周方向に等間隔に配置するように取り付けられ、且つ前記仮想円６の中心部にのみ１個の中心部自在キャスター５が取り付けられ、このうち、仮想円６上にある４個の自在キャスター４…は、その取付軸４ａが前記仮想円６上に取り付けられると共に、先端部に車輪４ｃを軸着した車輪支持枠４ｂは、上記取付軸４ａの周りに旋回自在に取り付けられ、取付軸４ａは車輪４ｃに対し偏心した構成からなり、仮想円の中心部にのみ取り付けられる１個の中心部自在キャスター５は、ボール７によって接地面に対し点接触状態で接地するボール支持体５ｏによって形成されてなることを特徴とする。
【０００７】
【発明の実施の形態】
図１は、デッキプレート２上を走行中の本発明に係るデッキプレート走行台車１を、この走行台車１の底面側から見た底面図であり、図２は図１のＸ−Ｘ線断面図である。このデッキプレート走行台車１は、キャスター取付用ベース３の下面側周辺部に４個の自在キャスター４…を取り付けると共に、その中央部に中心部自在キャスター５を取り付けてなるものである。デッキプレート２は、図２から分かるように、鉄板によって、夫々断面台形状の凹条部２ａと凸条部２ｂとが交互に連なるように形成されたものである。
【０００８】
このデッキプレート走行台車１につき更に詳しく説明すれば、４個の自在キャスター４…は、図１に示すように、キャスター取付用ベース３の下面において、当該ベース３の中心部位を中心とする仮想円６上にあって、各々円周方向に等間隔に配置するように取り付けられ、つまりその仮想円６上に９０°の位相間隔で取り付けられ、そしてキャスター取付用ベース３の中心部位である仮想円６の中心部に中心部自在キャスター５が取り付けられている。
【０００９】
各自在キャスター４は、取付軸４ａを前記仮想円６上に取り付けると共に、先端部に車輪４ｃを軸着した車輪支持枠４ｂを、上記取付軸４ａの周りに旋回自在に取り付けてなる周知構造のもので、取付軸４ａは車輪４ｃに対し偏心した状態となっている。また、車輪支持枠４ｂには、車輪４ｃの回転を止めるストッパー４ｄ（図２参照）が設けられている。
【００１０】
中心部自在キャスター５は、図２から分かるように、ボール７によって接地面に対し点接触状態で接地するボール支持体５ｏからなるもので、上端部をキャスター取付用ベース３の中心部に固定した筒状部材８の下端部内に、接地用のボール７を回転自在に取り付けることによって形成される。
【００１１】
前記仮想円６は、デッキプレート走行台車１をデッキプレート２上にてその凹凸条部２ａ，２ｂと直交する方向に走行させる時に、周方向に等間隔で配設された４個の自在キャスター４…と、中心部自在キャスター５との５個のキャスターのうちの少なくとも１つがデッキプレート２の何れかの凸条部２ａ上面に乗ることができるような大きさに設定された円であり、またキャスター取付用ベース３の範囲内に仮想上形成される円である。
【００１２】
上記のような構成を有するデッキプレート走行台車１の作用について、図３を参照して説明する。図３の（Ａ）は、デッキプレート走行台車１を、デッキプレート２上においてその凹凸条部２ａ，２ｂと直交する方向に走行させる時の状態(1) 〜 (4)を、走行台車１の底面側から見た底面図であり、同図の（Ｂ）は（Ａ）のＹ−Ｙ線断面図である。
【００１３】
図３（Ａ）及び（Ｂ）の(1) は、デッキプレート２上において走行台車１を図面の右方から左方へ走行させた時に、４個の自在キャスター４…の全ての車輪４ｃ…が、台車走行方向とは反対方向、即ち右方向を向くように突出した（振った）状態にあって、４個の自在キャスター４…のうち、台車走行方向と直交する方向に対向する２個の自在キャスター４，４と、中心部自在キャスター５とが、デッキプレート２の１つの凸条部２ｂ上面に乗っている状態を示す。
【００１４】
図３（Ａ）及び（Ｂ）の(2) は、(1) の状態から走行台車１を更に左方へ走行させた時の状態を示すもので、(1) と同様に４個の自在キャスター４…の全ての車輪４ｃ…が右方に突出しており、そしてこの時、４個の自在キャスター４…のうち、台車走行方向に沿って対向する２個の自在キャスター４，４が、デッキプレート２の隣合う２つの凸条部２ｂ，２ｂ上面に乗っている。
【００１５】
図３（Ａ）及び（Ｂ）の(3) は、(2) の状態から走行台車１を更に左方へ走行させた時の状態を示すもので、(1) 及び(2) と同様に４個の自在キャスター４…の全ての車輪４ｃ…が右方向に突出しており、そしてこの時は、４個の自在キャスター４…のうち、先行する１個の自在キャスター４と、中心部自在キャスター５とが、デッキプレート２の１つの凸条部２ｂ上面に乗っている。
【００１６】
図３（Ａ）及び（Ｂ）の (1)〜 (3)から分かるように、デッキプレート走行台車１をデッキプレート２上においてその凹凸条部２ａ，２ｂと直交する方向に走行させる時に、４個の自在キャスター４…の全ての車輪４ｃ…が台車走行方向と反対の方向に突出しておれば、４個の自在キャスター４…のうちの少なくとも１個の自在キャスター４がデッキプレート２の凸条部２ｂ上面に乗っているから、仮に中心部自在キャスター５が設けられていなくても、デッキプレート走行台車１はデッキプレート２上を円滑に走行することができる。
【００１７】
即ち、走行台車１をデッキプレート２上にて走行させるにあたっては、４個の自在キャスター４…の全ての車輪４ｃ…が台車走行方向と反対の方向に突出するように注意しながら走行させれば、安定状態で円滑に走行させることができる。しかしながら、作業中は、常にそのような注意を払うことが困難で、無造作に走行台車１をデッキプレート２上にて走行させることが多く、斯かる場合に、４個の自在キャスター４…の車輪４ｃ…の突出方向が異なることがある。
【００１８】
図３（Ａ）及び（Ｂ）の (4)に示すように、走行を開始した走行台車１の４個の自在キャスター４…のうち、先行する２個の自在キャスター４，４の車輪４ｃ，４ｃが台車走行方向に突出し、後方の２個の自在キャスター４，４の車輪４ｃ，４ｃが反対方向に突出したような場合には、４個の自在キャスター４…が全てデッキプレート２の凸条部２ｂから外れてしまうことがある。斯かる場合には、図示のように、中心部自在キャスター５が凸条部２ｂ上面に乗るから、円滑に走行させることができることになる。
【００１９】
以上の説明から分かるように、本発明に係るデッキプレート走行台車１では、この走行台車１をデッキプレート２上で走行させる時に、キャスター取付用ベース３の仮想円６上に周方向に等間隔で配設された４個の自在キャスター４…と、前記仮想円６の中心部に設けられた中心部自在キャスター５との５個のキャスターのうちの少なくとも１つのキャスターが、デッキプレート２の凸条部２ｂ上面に乗るようになっているから、デッキプレート２上を脱輪することなく平坦面と同様に円滑に走行することができる。
【００２０】
特に、前記仮想円６の中心部にある中心部自在キャスター５は、ボール７によって接地面に対し点接触状態で接地するボール支持体５ｏからなるもので、取付軸４ａが偏心していて車輪４ｃの向きが不安定な自在キャスター４とは違って、接地した定位置で走行機能を維持できるから、デッキプレート走行台車１は、凹凸状のデッキプレート２上を安定状態で走行することができる。
【００２１】
また、本発明のデッキプレート走行台車１は、４個の自在キャスター４…を前記仮想円６上に周方向等間隔に配設すると共に、その仮想円６の中心部に中心部自在キャスター５を配設した構成であって、キャスターの個数が５個と少なく、しかもこれらのキャスターの配置関係が簡単で規則的であることから、製作が容易でコストを安くできると共に、取付位置が制約されないため、走行作業用足場などへの取付けが簡単となる。
【００２２】
更に、中心部自在キャスター５が、ボール７によって接地面に対し点接触状態で接地するボール支持体５ｏによって形成されたものにあっては、自在キャスター４のような偏心がなくて車輪が旋回しないから、デッキプレート２上での走行時に発生するキャスターの不安定で個々の乱れた回転に影響されることなく定位置で走行機能を維持することによって、凹凸のあるデッキプレート２上を安定状態で走行することができる。
【００２３】
また、中心部自在キャスター５がボール支持体５ｏからなるものにあっては、ボール支持体５ｏは、偏心した自在キャスター４のように車輪４ｃが旋回しないから、前記仮想円６上にある自在キャスター４…相互間の距離が比較的短く、つまり仮想円６の径が比較的小さくて、中心部自在キャスター５が各自在キャスター４にある程度接近した状態にあっても、自在キャスター４が中心部自在キャスター５と干渉するようなことがない。従って、このボール支持体５ｏからなる中心部自在キャスター５は、それが自在キャスター４である場合に比べ、自在キャスター４…相互間の距離を極力短く設定でき、換言すれば、前記仮想円６の径を小さくでき、それによりデッキプレート２の凸条部２ｂに乗る確率を高めることができて、デッキプレート２上でのスムーズな走行を確保できる。勿論、前記仮想円６は、デッキプレート２の凹凸条部２ａ，２ｂのピッチに応じた大きさに設定されるもので、凹凸条部２ａ，２ｂのピッチが大きいデッキプレート２では、仮想円６の径もある程度大きく設定され、また凹凸条部２ａ，２ｂのピッチが小さいデッキプレート２では、その径もある程度小さく設定される。
【００２４】
図４は上記デッキプレート走行台車１を装備した走行作業用足場の正面図、図５はその左側面図、図６はその底面図である。この走行作業用足場の組立にあたって、デッキプレート走行台車１にはキャスター取付用ベース３の上面中央部に、矩形状に枠組みされた足場用建枠１１を立設するための連結ピン１０を垂設し、そして２台のデッキプレート走行台車１，１を、図５に示すように足場用建枠１１の幅寸法に相当するピッチで連結枠材１２によって連結する。
【００２５】
上記のように連結枠材１２によって連結した２台のデッキプレート走行台車１，１の連結ピン１０，１０に、足場用建枠１１の両縦材１３，１３下端部を嵌合固定して、建枠組立体１４を形成する。このような建枠組立体１４を２基用意し、そして両建枠組立体１４，１４を対峙させて、双方の足場用建枠１１，１１の上端部に天板１５を張架すると共に、双方の走行台車１，１間に交差筋交１６，１６を架け渡し、また双方の足場用建枠１１，１１の横材１７，１７間にブレース１８を架け渡し、また各足場用建枠１１の横材１７と、天板１５の下面中央部との間にブレース１９を架け渡す。更に、各建枠組立体１４の両走行台車１，１の両側にアウトリガー２０，２０を、図６の仮想線図示のように旋回可能に装備する。
【００２６】
上記のようにして各足場用建枠１１の両縦材１３，１３の夫々の下端部にデッキプレート走行台車１を備えた走行作業用足場が組み立てられる。尚、図４において、２１は一方の足場用建枠１１側に取り付けられた梯子である。前述した本発明のデッキプレート走行台車１は、このような走行作業用足場に装備されて、実施されるようになっている。
【００２７】
【発明の効果】
請求項１に係る発明のデッキプレート走行台車によれば、デッキプレート上を走行させる時に、キャスター取付用ベースの仮想円上に周方向に等間隔で配設された４個の自在キャスターと、仮想円の中心部にのみ設けられた１個の中心部自在キャスターとの５個のキャスターのうちの少なくとも１つがデッキプレートの凸条部上面に乗るようになるから、凹凸のあるデッキプレート上を円滑に走行させることができ、またキャスター取付用ベースに取り付けられるキャスターの個数が５個と少なく、しかもこれらキャスターの配置関係が簡単で、規則的であることから、製作が容易でコストを安くできると共に、取付位置が制約されないため、走行作業用足場などへの取付けが簡単となる。
【００２８】
また、前記仮想円の中心部にのみある１個の中心部自在キャスターは、ボールによって接地面に対し点接触状態で接地するボール支持体からなるもので、取付軸が偏心して車輪の向きが不安定な仮想円上にある自在キャスターと違って、接地した定位置で走行機能を維持できるから、デッキプレート走行台車を、デッキプレート上において安定した状態で円滑に走行させることができる。
【００２９】
また、仮想円の中心部にのみ取り付けられる１個の中心部自在キャスター５がボール支持体５ｏからなるものにあっては、ボール支持体５ｏは、偏心した自在キャスター４のように車輪４ｃが旋回しないから、前記仮想円６上にある自在キャスター４…相互間の距離が比較的短く、つまり仮想円６の径が比較的小さくて、中心部自在キャスター５が仮想円６上の各自在キャスター４にある程度接近した状態にあっても、仮想円６上の各自在キャスター４が中心部自在キャスター５と干渉するようなことがない。従って、このボール支持体５ｏからなる中心部自在キャスター５は、それが偏心した自在キャスター４である場合に比べ、仮想円６上の各自在キャスター４…相互間の距離を極力短く設定でき、換言すれば、前記仮想円６の径を小さくでき、それによりデッキプレート２の凸条部２ｂに乗る確率を高めることができて、デッキプレート２上でのスムーズな走行を確保できる。
【図面の簡単な説明】
【図１】デッキプレート上を走行中の本発明に係るデッキプレート走行台車を、この走行台車の底面側から見た底面図である。
【図２】図１のＸ−Ｘ線断面図である。
【図３】（Ａ）は、デッキプレート走行台車を、デッキプレート上においてその凹凸条部と直交する方向に走行させる時の状態 (1)〜 (4)を、走行台車の底面側から見た底面図であり、同（Ｂ）は（Ａ）のＹ−Ｙ線断面図である。
【図４】デッキプレート走行台車を装備した走行作業用足場の正面図である。
【図５】同走行作業用足場の左側面図である。
【図６】同走行作業用足場の底面図である。
【符号の説明】
１            デッキプレート走行台車
２            デッキプレート
２ａ          デッキプレートの凹条部
２ｂ          デッキプレートの凸条部
３            キャスター取付用ベース
４            自在キャスター
５            中心部自在キャスター
５ｏ          ボール支持体
６            仮想円
７            ボール
８            筒状部材
【図１】
0004167820.tif 000002
【図２】
0004167820.tif 000003
【図３】
0004167820.tif 000004
【図４】
0004167820.tif 000005
【図５】
0004167820.tif 000006
【図６】
0004167820.tif 000007